(57)【要約】【課題】測定の精度を高めつつ、所望の周波数帯域に含まれる周波数成分に基づいて測定電流の電流値を測定する。【解決手段】共通の測定対象電線２に装着されて使用される電流プローブＣＰであって検出周波数帯域が互いに異なる１つの電流センサＣＳ１〜ＣＳ３で構成された複数の電流プローブＣＰ１〜ＣＰ３を１つずつ接続可能な複数の入力部１１ａ〜１１ｃと、各入力部１１ａ〜１１ｃに接続された複数の電流プローブＣＰ１〜ＣＰ３から出力される検出信号Ｖｉ１〜Ｖｉ３に基づく被加算量を加算して加算信号（加算信号の信号波形を示す加算波形データＤａｄ）として出力する信号加算部１４と、波形データＤａｄに基づいて測定対象電線２に流れる測定電流Ｉの電流値Ｉ１を算出する処理部１５とを備えている。【選択図】図１
2015014525.tif 000002
【特許請求の範囲】
【請求項１】
共通の測定対象電線に装着されて使用される電流プローブであって検出周波数帯域が互いに異なる複数の電流プローブを１つずつ接続可能な複数の入力部と、
前記入力部に接続された前記複数の電流プローブから出力される各検出信号に基づく各被加算量を加算して加算信号を出力する信号加算部と、
前記加算信号に基づいて前記測定対象電線に流れる測定電流の電流値を算出する処理部とを備えている測定装置。
【請求項２】
前記各被加算量のレベルを個別に調整するレベル調整部を備えている請求項１記載の測定装置。
【請求項３】
前記入力部毎に配設されると共に前記検出信号を増幅して出力する増幅部を備え、当該増幅部は、増幅率を変更することによって前記レベル調整部として機能する請求項２記載の測定装置。
【請求項４】
前記複数の入力部と前記信号加算部との間にフィルタがそれぞれ配設され、
検出周波数帯域が隣接する２つの電流プローブが接続されている前記入力部の後段に配設された２つの前記フィルタは、それぞれの通過域が当該入力部を介して接続された当該電流プローブの当該検出周波数帯域内に含まれると共に互いに連続するように規定され、
前記信号加算部は、前記複数の電流プローブから出力される前記検出信号を前記フィルタを介して前記各被加算量として入力すると共に加算して前記加算信号を出力する請求項１から３のいずれかに記載の測定装置。
【請求項５】
前記２つのフィルタは、前記隣接する２つの検出周波数帯域のうちの低域側の当該検出周波数帯域内に含まれている前記通過域の高周波側のカットオフ周波数が、当該隣接する２つの検出周波数帯域のうちの高域側の当該検出周波数帯域内に含まれている前記通過域の低周波側のカットオフ周波数と同一に規定されている請求項４記載の測定装置。
【請求項６】
検出周波数帯域が互いに異なる複数の電流プローブを共通の測定対象電線に装着し、
前記複数の電流プローブから出力される各検出信号に基づく各被加算量を加算して加算信号とし、
前記加算信号に基づいて前記測定対象電線に流れる測定電流の電流値を算出する測定方法。
【請求項７】
前記各被加算量のレベルを個別に調整して加算する請求項６記載の測定方法。
【請求項８】
前記各検出信号を個別に増幅する増幅部を用いて当該増幅部の増幅率を変更することにより、前記各被加算量のレベルを個別に調整する請求項７記載の測定方法。
【請求項９】
前記各検出信号のうちの検出周波数帯域が隣接する２つの前記電流プローブから出力される２つの前記検出信号については、それぞれの通過域が対応する当該電流プローブの当該検出周波数帯域内に含まれると共に互いに連続する２つの前記フィルタでフィルタリング処理する請求項６から８のいずれかに記載の測定方法。
【請求項１０】
前記隣接する２つの検出周波数帯域のうちの低域側の当該検出周波数帯域内に含まれている前記通過域の高周波側のカットオフ周波数が、当該隣接する２つの検出周波数帯域のうちの高域側の当該検出周波数帯域内に含まれている前記通過域の低周波側のカットオフ周波数と同一な２つの前記フィルタで前記フィルタリング処理する請求項９記載の測定方法。
【発明の詳細な説明】
【技術分野】
【０００１】
本発明は、測定対象電線に装着されて使用される電流プローブを複数接続可能に構成されて、この測定対象電線に流れる測定電流を測定する測定装置、および測定対象電線に装着されて使用される電流プローブを複数使用して測定対象電線に流れる測定電流を測定する測定方法に関するものである。
【背景技術】
【０００２】
この種の測定装置に使用される電流プローブとして、下記特許文献１，２に開示された電流プローブが知られている。これらの電流プローブは、直流から所定周波数帯域近辺までの測定電流（被測定電流）の低周波数帯域（第１周波数帯域）成分を検出する第１電流検出手段と、上記の所定周波数帯域近辺から上の高周波数帯域（第２周波数帯域）成分を検出する第２電流検出手段と、各電流検出手段から出力される２つの信号成分を加算して出力する増幅器とを備えている。
【０００３】
この構成により、これらの電流プローブ、およびこれらの電流プローブを使用した測定装置では、測定対象電線（被測定信号線）に流れる測定電流の電流値を直流から高い周波数まで高感度で測定することが可能になっている。
【先行技術文献】
【特許文献】
【０００４】
【特許文献１】特開２００４−２５７９０４号公報（第５−８頁、第１図）
【特許文献２】特開２００４−２５７９０５号公報（第５−６頁、第１図）
【発明の概要】
【発明が解決しようとする課題】
【０００５】
ところが、上記の電流プローブを使用した測定装置には、以下のような解決すべき課題が存在している。すなわち、これらの電流プローブでは、測定する周波数帯域の異なる２つの電流検出手段（電流センサ）を一体化（１つに纏める構成を採用）することにより、測定電流の電流値を１つの電流プローブで、直流から高い周波数（１ＭＨｚ程度）まで測定し得るように構成されている。しかしながら、これらの電流プローブには、異なる周波数帯域の２つの電流検出手段を一体化する構成を採用しているため、双方の電流検出手段が他の電流検出手段の存在に起因して、機構的な制約や電気的な制約を受ける結果、異なる周波数帯域の２つの電流検出手段を一体化せずに１つずつ使用して構成された電流プローブと比較して、測定の精度を高めるのが困難であるという課題が存在している。
【０００６】
また、異なる周波数帯域の２つの電流検出手段を一体化して構成された既存の電流プローブの周波数帯域とは異なる新たな周波数帯域に含まれる周波数成分を含めて測定電流の電流値を測定したい場合には、この新たな周波数帯域を実現し得るように、この２つの電流検出手段の一方または双方を他の電流検出手段で置き換えて一体化するか、または、この２つの電流検出手段に別の電流検出手段を加えて一体化して新たな電流プローブを構成する必要がある。しかしながら、測定したい周波数帯域が変わる都度、この周波数帯域を実現し得る複数の電流検出手段を一体化して新たな電流プローブを構成するのは、コスト面や時間的な面から見て現実的ではない。
【０００７】
本発明は、かかる課題を解決すべくなされたものであり、測定の精度を高めつつ、所望の周波数帯域に含まれる周波数成分に基づいて測定電流の電流値を測定し得る測定装置および測定方法を提供することを主目的とする。
【課題を解決するための手段】
【０００８】
上記目的を達成すべく請求項１記載の測定装置は、共通の測定対象電線に装着されて使用される電流プローブであって検出周波数帯域が互いに異なる複数の電流プローブを１つずつ接続可能な複数の入力部と、前記入力部に接続された前記複数の電流プローブから出力される各検出信号に基づく各被加算量を加算して加算信号を出力する信号加算部と、前記加算信号に基づいて前記測定対象電線に流れる測定電流の電流値を算出する処理部とを備えている。
【０００９】
また、請求項２記載の測定装置は、請求項１記載の測定装置において、前記各被加算量のレベルを個別に調整するレベル調整部を備えている。
【００１０】
また、請求項３記載の測定装置は、請求項２記載の測定装置において、前記入力部毎に配設されると共に前記検出信号を増幅して出力する増幅部を備え、当該増幅部は、増幅率を変更することによって前記レベル調整部として機能する。
【００１１】
また、請求項４記載の測定装置は、請求項１から３のいずれかに記載の測定装置において、前記複数の入力部と前記信号加算部との間にフィルタがそれぞれ配設され、検出周波数帯域が隣接する２つの電流プローブが接続されている前記入力部の後段に配設された２つの前記フィルタは、それぞれの通過域が当該入力部を介して接続された当該電流プローブの当該検出周波数帯域内に含まれると共に互いに連続するように規定され、前記信号加算部は、前記複数の電流プローブから出力される前記検出信号を前記フィルタを介して前記各被加算量として入力すると共に加算して前記加算信号を出力する。
【００１２】
また、請求項５記載の測定装置は、請求項４記載の測定装置において、前記２つのフィルタは、前記隣接する２つの検出周波数帯域のうちの低域側の当該検出周波数帯域内に含まれている前記通過域の高周波側のカットオフ周波数が、当該隣接する２つの検出周波数帯域のうちの高域側の当該検出周波数帯域内に含まれている前記通過域の低周波側のカットオフ周波数と同一に規定されている。
【００１３】
また、請求項６記載の測定方法は、検出周波数帯域が互いに異なる複数の電流プローブを共通の測定対象電線に装着し、前記複数の電流プローブから出力される各検出信号に基づく各被加算量を加算して加算信号とし、前記加算信号に基づいて前記測定対象電線に流れる測定電流の電流値を算出する。
【００１４】
また、請求項７記載の測定方法は、請求項６記載の測定方法において、前記各被加算量のレベルを個別に調整して加算する。
【００１５】
また、請求項８記載の測定方法は、請求項７記載の測定方法において、前記各検出信号を個別に増幅する増幅部を用いて当該増幅部の増幅率を変更することにより、前記各被加算加算量のレベルを個別に調整する。
【００１６】
また、請求項９記載の測定方法は、請求項６から８のいずれかに記載の測定方法において、前記各検出信号のうちの検出周波数帯域が隣接する２つの前記電流プローブから出力される２つの前記検出信号については、それぞれの通過域が対応する当該電流プローブの当該検出周波数帯域内に含まれると共に互いに連続する２つの前記フィルタでフィルタリング処理する。
【００１７】
また、請求項１０記載の測定方法は、請求項９記載の測定方法において、前記隣接する２つの検出周波数帯域のうちの低域側の当該検出周波数帯域内に含まれている前記通過域の高周波側のカットオフ周波数が、当該隣接する２つの検出周波数帯域のうちの高域側の当該検出周波数帯域内に含まれている前記通過域の低周波側のカットオフ周波数と同一な２つの前記フィルタで前記フィルタリング処理する。
【発明の効果】
【００１８】
請求項１記載の測定装置および請求項６記載の測定方法では、検出周波数帯域が互いに異なる複数の電流プローブを共通の測定対象電線に装着し、複数の電流プローブから出力される検出信号に基づく被加算量を加算して加算信号とし、この加算信号に基づいて測定対象電線に流れる測定電流の電流値を算出する。
【００１９】
したがって、この測定装置および測定方法によれば、測定電流の周波数成分のうちの各電流プローブの検出周波数帯域で規定される所望の周波数帯域（各検出周波数帯域を加算した加算周波数帯域）に含まれる周波数成分に基づいて測定対象電線に流れている測定電流の電流値を測定することができる。この場合、周波数帯域が同じ１つまたは２つ以上の電流センサで構成された電流プローブは、周波数帯域の異なる複数の電流センサを一体化して構成された電流プローブと比較して、機構的な制約や電気的な制約を受けない結果、検出周波数帯域に含まれる周波数成分をより精度良く検出することができる。これにより、この測定装置および測定方法によれば、このような周波数帯域が同じ１つまたは２つ以上の電流センサでそれぞれが構成されると共に検出周波数帯域が互いに異なる複数の電流プローブを使用することで、各電流プローブにおいて高い精度で検出される測定電流の各検出周波数帯域に含まれる周波数成分（所望の周波数帯域に含まれる周波数成分）に基づいて、測定の精度を高めつつ、周波数帯域の異なる複数の電流センサを一体化して構成された電流プローブを使用したときと同じように、所望の広い周波数帯域に含まれる周波数成分に基づいて測定電流の電流値を測定することができる。
【００２０】
請求項２記載の測定装置および請求項７記載の測定方法では、各被加算量のレベルをレベル調整部で個別に調整し、この調整された各被加算量を加算する。したがって、この測定装置および測定方法によれば、変換率の異なる電流プローブを使用しつつ、複数の電流プローブから出力される検出信号を被加算量に変換するための変換率を一致させた状態で、各被加算量を加算することができるため、各電流プローブにおいて高い精度で検出される測定電流の各検出周波数帯域に含まれる周波数成分（所望の周波数帯域に含まれる周波数成分）に基づいて、測定の精度を高めつつ測定電流の電流値を測定することができる。
【００２１】
請求項３記載の測定装置および請求項８記載の測定方法では、各検出信号を個別に増幅する増幅部を用いてこの増幅部の増幅率を変更することにより、各被加算量のレベルを個別に調整する。したがって、この測定装置および測定方法によれば、増幅部を用いるという簡易な手法で、複数の電流プローブから出力される検出信号を被加算量に変換するための変換率を確実に一致させることができる。
【００２２】
請求項４記載の測定装置および請求項９記載の測定方法では、各検出信号のうちの検出周波数帯域が隣接する２つの電流プローブから出力される２つの検出信号については、それぞれの通過域が対応する電流プローブの検出周波数帯域内に含まれると共に互いに連続する２つのフィルタでフィルタリング処理する。
【００２３】
したがって、この測定装置および測定方法によれば、検出周波数帯域のうちの互いに隣接する２つの検出周波数帯域が、低域側の検出周波数帯域の高帯域と、高域側の検出周波数帯域の低帯域とが重なるかまたは接するようにそれぞれ規定された電流プローブを各入力部に複数接続することで、各フィルタで対応する電流プローブの検出周波数帯域外のノイズなどの信号成分を除去しつつ（フィルタリング処理しつつ）、連続する複数の通過域で規定される所望の広い周波数帯域に含まれる測定電流の周波数成分に基づいて、測定の精度をより高めつつ測定電流の電流値を測定することができる。
【００２４】
請求項５記載の測定装置および請求項１０記載の測定方法では、隣接する２つの検出周波数帯域のうちの低域側の検出周波数帯域内に含まれている通過域の高周波側のカットオフ周波数が、この隣接する２つの検出周波数帯域のうちの高域側の検出周波数帯域内に含まれている通過域の低周波側のカットオフ周波数と同一に規定されている２つのフィルタ（通過域が互いに連続する２つのフィルタ）でフィルタリング処理する。
【００２５】
したがって、この測定装置および測定方法によれば、通過域が連続する２つのフィルタについての利得を、それぞれの通過域全体に亘ってフラットな状態にすることができるため、２つの通過域の境界部分の周波数成分についても正確に検出して測定電流の電流値を一層高精度で測定することができる。
【図面の簡単な説明】
【００２６】
【図１】電流測定装置１および電流プローブＣＰ１，ＣＰ２，ＣＰ３の構成を説明するための構成図である。
【図２】電流プローブＣＰ１，ＣＰ２，ＣＰ３を構成する各電流センサＣＳ１，ＣＳ２，ＣＳ３の利得（電流プローブＣＰ１，ＣＰ２，ＣＰ３自体の利得でもある）についての周波数特性Ａ１，Ａ２，Ａ３を示す周波数特性図である。
【図３】電流プローブＣＰ１，ＣＰ２，ＣＰ３が接続された各入力部１１から出力される正規化された各電圧信号Ｖｎの周波数特性Ｅ１，Ｅ２，Ｅ３と、各電流プローブＣＰ１，ＣＰ２，ＣＰ３に対応する各フィルタ１３の周波数特性Ｈ１，Ｈ２，Ｈ３とを示す周波数特性図である。
【図４】電流プローブＣＰ１，ＣＰ２が接続された各入力部１１から出力される正規化された電圧信号Ｖｎの周波数特性Ｅ１，Ｅ２と、各電流プローブＣＰ１，ＣＰ２に対応する各フィルタ１３の周波数特性Ｈ１，Ｈ２とを示す周波数特性図である。
【図５】電流プローブＣＰ２，ＣＰ３が接続された各入力部１１から出力される正規化された電圧信号Ｖｎの周波数特性Ｅ２，Ｅ３と、各電流プローブＣＰ２，ＣＰ３に対応する各フィルタ１３の周波数特性Ｈ２，Ｈ３とを示す周波数特性図である。
【図６】電流プローブＣＰ１，ＣＰ３が接続された各入力部１１から出力される正規化された電圧信号Ｖｎの周波数特性Ｅ１，Ｅ３と、各電流プローブＣＰ１，ＣＰ３に対応する各フィルタ１３の周波数特性Ｈ１，Ｈ３とを示す周波数特性図である。
【発明を実施するための形態】
【００２７】
以下、添付図面を参照して、測定装置１および測定方法の実施の形態について説明する。
【００２８】
まず、測定装置１の一例として電流測定機能のみを有する電流測定装置（以下、電流測定装置１ともいう）と、電流測定装置１に接続される複数の電流プローブ（以下、区別しないときには、「電流プローブＣＰ」ともいう）の各構成について、図１を参照して説明する。
【００２９】
各電流プローブＣＰは、検出周波数帯域Ｂが同じ１つまたは２つ以上の電流センサ（２以上のときには同種（電気的特性の同じ）の電流センサ）ＣＳと、同型のコネクタＣＮとをそれぞれ備えて構成されている。この場合、各電流プローブＣＰを構成する電流センサＣＳは、その検出周波数帯域Ｂが電流プローブＣＰ毎に異なるように規定されている。電流プローブＣＰは、電流測定装置１に配設された後述の複数の入力部１１のいずれに対しても着脱可能に構成されて、複数の入力部１１のうちの任意の１つの入力コネクタ２１にコネクタＣＮを接続した状態で使用される。この電流プローブＣＰでは、電流センサＣＳが、この電流プローブＣＰが装着された測定対象電線２に流れる測定電流Ｉ（測定電流Ｉを構成する周波数成分のうちの電流センサＣＳ自身の検出周波数帯域Ｂに含まれる周波数成分で構成される電流）を検出すると共に、この測定電流Ｉの電流値（電流レベル）に応じて電圧値（電圧レベル）が変化する電圧信号としての検出信号Ｖｉを生成して出力する。また、この検出信号Ｖｉは、コネクタＣＮを介して電流プローブＣＰの外部に出力される。
【００３０】
本例では一例として、電流測定装置１は、後述するように複数（一例として３つ）の入力部１１を備え、異なる電流プローブＣＰを最大で３つ接続可能に構成されている。このため、図１に示すように、電流プローブＣＰとして３種類の電流プローブＣＰ１，ＣＰ２，ＣＰ３が用意されている。なお、電流測定装置１に設けられた入力部１１の数を超える種類の電流プローブＣＰを用意して、これらの電流プローブＣＰのうちから選択した２つ以上の電流プローブＣＰを入力部１１に接続する構成を採用してもよいのは勿論である。
【００３１】
本例では、電流プローブＣＰ１は、上記した検出信号Ｖｉとしての検出信号Ｖｉ１を出力する電流センサＣＳ１を備えている。本例では一例として、電流センサＣＳ１は、図２において実線で示される周波数特性Ａ１（検出周波数帯域Ｂ１が直流から低周波数に亘り、この検出周波数帯域Ｂ１での利得が同図に示すような利得の周波数特性）を有するホール素子などの電流検出センサで構成されて、測定対象電線２に流れる測定電流Ｉの周波数成分のうちのこの検出周波数帯域Ｂ１に含まれる周波数成分を検出して、この周波数成分で構成される検出信号Ｖｉ１を出力する。
【００３２】
また、電流プローブＣＰ２は、上記した検出信号Ｖｉとしての検出信号Ｖｉ２を出力する電流センサＣＳ２を備えている。本例では一例として、電流センサＣＳ２は、図２において破線で示される周波数特性Ａ２（検出周波数帯域Ｂ２が低周波数から中周波数に亘り、この検出周波数帯域Ｂ２での利得が同図に示すような利得の周波数特性）を有するカレントトランスなどの電流検出センサで構成されて、測定対象電線２に流れる測定電流Ｉの周波数成分のうちのこの検出周波数帯域Ｂ２に含まれる周波数成分を検出して、この周波数成分で構成される検出信号Ｖｉ２を出力する。
【００３３】
また、電流プローブＣＰ３は、上記した検出信号Ｖｉとしての検出信号Ｖｉ３を出力する電流センサＣＳ３を備えている。本例では一例として、電流センサＣＳ３は、図２において一点鎖線で示される周波数特性Ａ３（検出周波数帯域Ｂ３が中周波数から高周波数に亘り、この検出周波数帯域Ｂ３での利得が同図に示すような利得の周波数特性）を有するロゴスキーコイルなどの電流検出センサで構成されて、測定対象電線２に流れる測定電流Ｉの周波数成分のうちのこの検出周波数帯域Ｂ３に含まれる周波数成分を検出して、この周波数成分で構成される検出信号Ｖｉ３を出力する。また、各電流プローブＣＰの変換率（検出信号Ｖｉの電圧レベルを測定電流Ｉの電流レベルで除算した値）は、基本的にまちまちであるものとする。本例では、各電流プローブＣＰの変換率は一例として互いに異なっているため、図２に示すように、各検出周波数帯域Ｂ１，Ｂ２，Ｂ３での利得（電圧利得）が互いに相違している。
【００３４】
なお、検出周波数帯域とは、図２に示すように、周波数特性がほぼフラットになる検出周波数帯域Ｂでの利得を基準として利得が６．０２ｄＢ低下する（０．５倍になる）周波数を上限周波数または下限周波数（いずれもカットオフ周波数）とする周波数帯域をいうものとする。また、この電流プローブＣＰ１，ＣＰ２，ＣＰ３は、その検出周波数帯域Ｂ１，Ｂ２，Ｂ３が互いに異なり、かつ周波数軸上において、低周波側から高周波側に向けて、一例として検出周波数帯域Ｂ１、検出周波数帯域Ｂ２および検出周波数帯域Ｂ３の順に並び、かつ隣接する２つの検出周波数帯域のすべて（この例では、２つの検出周波数帯域Ｂ１，Ｂ２と、２つの検出周波数帯域Ｂ２，Ｂ３）において、２つの検出周波数帯域のうちの低域側の検出周波数帯域の高帯域と、高域側の検出周波数帯域の低帯域とが重なるようにそれぞれ構成されている。一方、電流プローブＣＰ１，ＣＰ３は、その検出周波数帯域Ｂ１，Ｂ３が互いに重ならないようにそれぞれ構成されている。
【００３５】
次いで、電流測定装置１の構成について説明する。
【００３６】
電流測定装置１は、図１に示すように、複数の入力部１１（本例では一例として、上記した電流プローブＣＰの数に合わせて３つの入力部１１ａ，１１ｂ，１１ｃ）、入力部１１と同数のＡ／Ｄ変換部１２（本例では一例として、３つのＡ／Ｄ変換部１２ａ，１２ｂ，１２ｃ）、入力部１１と同数のフィルタ１３（本例では一例として、３つのフィルタ１３ａ，１３ｂ，１３ｃ）、１つの信号加算部１４、処理部１５、記憶部１６および出力部１７を備えている。
【００３７】
各入力部１１ａ，１１ｂ，１１ｃは、複数の電流プローブＣＰのうちの任意の１つを接続可能な入力コネクタ（コネクタＣＮと接続可能なコネクタ）２１と、入力コネクタ２１を介して電流プローブＣＰから入力される検出信号Ｖｉを設定された増幅率で増幅して電圧信号Ｖｎとして出力する増幅部２２とをそれぞれ備えて、同一に構成されている。
【００３８】
具体的には、入力部１１ａ，１１ｂ，１１ｃは、入力コネクタ２１ａおよび増幅部２２ａ、入力コネクタ２１ｂおよび増幅部２２ｂ、並びに入力コネクタ２１ｃおよび増幅部２２ｃをそれぞれ備え、電圧信号Ｖｎ１，Ｖｎ２，Ｖｎ３を出力する。
【００３９】
また、各入力部１１毎に配設された増幅部２２ａ〜２２ｃは、すべての電流プローブＣＰの電流センサＣＳについての検出周波数帯域Ｂに含まれる周波数成分を、設定された増幅率で個別に増幅可能な広帯域増幅部として構成されている。これにより、各増幅部２２は、検出信号Ｖｉのレベルに基づいて変化する後述する波形データＤｉ１，Ｄｉ２，Ｄｉ３（信号加算部１４で加算される被加算量）のレベル（大きさ）を個別に調整するレベル調整部として機能する。また、増幅部２２ａ〜２２ｃの各増幅率は、対応する入力コネクタ２１ａ〜２１ｃに電流プローブＣＰが接続されたときには、接続されている電流プローブＣＰ１，ＣＰ２，ＣＰ３に対応して予め規定された増幅率α１，α２，α３に処理部１５によって設定される。
【００４０】
具体的には、各増幅率α１，α２，α３は、各電流プローブＣＰの変換率がまちまちである状態において、入力部１１ａに接続された電流プローブＣＰで検出される測定電流Ｉをフィルタ１３ａから出力される被加算量としての波形データＤｉ１に変換するための変換率と、入力部１１ｂに接続された電流プローブＣＰで検出される測定電流Ｉをフィルタ１３ｂから出力される被加算量としての波形データＤｉ２に変換するための変換率と、入力部１１ｃに接続された電流プローブＣＰで検出される測定電流Ｉをフィルタ１３ｃから出力される被加算量としての波形データＤｉ３に変換するための変換率とが一致するように、接続されている各電流プローブＣＰに対応して予め規定されている。
【００４１】
本例では一例として、各Ａ／Ｄ変換部１２の利得が揃えられており、また各フィルタ１３の利得が揃えられている。このため、各増幅率α１，α２，α３は、各入力部１１に接続された各電流プローブＣＰで検出される測定電流Ｉを各電圧信号Ｖｎに変換する変換率が一致するように、各電流プローブＣＰに対応して予め規定されている。
【００４２】
これにより、図２において符号Ａ１で示される周波数特性を有する電流プローブＣＰ１から出力される検出信号Ｖｉ１は、この電流プローブＣＰ１が接続された入力部１１の増幅部２２により、電流プローブＣＰ１に対応する増幅率α１で電圧信号Ｖｎに増幅される。この場合、電流プローブＣＰ１およびこの入力部１１の全体としての周波数特性（検出周波数帯域Ｂ１での利得）は、図３において符号Ｅ１で表されるように正規化される（一定の利得に規定される）。例えば、電流値Ｉ１が１０Ａの測定電流Ｉを検出したときに検出信号Ｖｉ１を０．８Ｖで出力する周波数特性（検出周波数帯域Ｂ１での利得（変換率））を電流プローブＣＰ１が有しているときには、この電流プローブＣＰ１が接続された入力部１１の増幅部２２は、その増幅率がα１に規定されることで、測定電流Ｉの電流値Ｉ１が１０Ａのときに電流プローブＣＰ１から出力される０．８Ｖの検出信号Ｖｉ１を増幅率α１で増幅して、所定の電圧レベル（Ａ／Ｄ変換部１２の入力定格に含まれる電圧レベル。例えば、１Ｖ）の電圧信号Ｖｎを出力する。
【００４３】
また、図２において符号Ａ２で示される周波数特性を有する電流プローブＣＰ２から出力される検出信号Ｖｉ２は、この電流プローブＣＰ２が接続された入力部１１の増幅部２２により、電流プローブＣＰ２に対応する増幅率α２で電圧信号Ｖｎに増幅される。この場合、電流プローブＣＰ２およびこの入力部１１の全体としての周波数特性（検出周波数帯域Ｂ２での利得）は、図３において符号Ｅ２で表されるように正規化される（上記の符号Ｅ１で表される周波数特性と同じ利得に規定される）。例えば、電流値Ｉ１が１０Ａの測定電流Ｉを検出したときに検出信号Ｖｉ２を０．５Ｖで出力する周波数特性（検出周波数帯域Ｂ２での利得（変換率））を電流プローブＣＰ２が有しているときには、この電流プローブＣＰ２が接続された入力部１１の増幅部２２は、その増幅率がα２に規定されることで、測定電流Ｉの電流値Ｉ１が１０Ａのときに電流プローブＣＰ２から出力される０．５Ｖの検出信号Ｖｉ２を増幅率α２で増幅して、所定の電圧レベル（Ａ／Ｄ変換部１２の入力定格に含まれる電圧レベル。例えば、１Ｖ）の電圧信号Ｖｎを出力する。
【００４４】
また、図２において符号Ａ３で示される周波数特性を有する電流プローブＣＰ３から出力される検出信号Ｖｉ３は、この電流プローブＣＰ３が接続された入力部１１の増幅部２２により、電流プローブＣＰ３に対応する増幅率α３で電圧信号Ｖｎに増幅される。この場合、電流プローブＣＰ３およびこの入力部１１の全体としての周波数特性（検出周波数帯域Ｂ３での利得）は、図３において符号Ｅ３で表されるように正規化される（上記の符号Ｅ１で表される周波数特性と同じ利得に規定される）。例えば、電流値Ｉ１が１０Ａの測定電流Ｉを検出したときに検出信号Ｖｉ３を０．６Ｖで出力する周波数特性（検出周波数帯域Ｂ３での利得（変換率））を電流プローブＣＰ３が有しているときには、この電流プローブＣＰ３が接続された入力部１１の増幅部２２は、その増幅率がα３に規定されることで、測定電流Ｉの電流値Ｉ１が１０Ａのときに電流プローブＣＰ３から出力される０．６Ｖの検出信号Ｖｉ３を増幅率α３で増幅して、所定の電圧レベル（Ａ／Ｄ変換部１２の入力定格に含まれる電圧レベル。例えば、１Ｖ）の電圧信号Ｖｎを出力する。
【００４５】
各Ａ／Ｄ変換部１２ａ，１２ｂ，１２ｃは、入力した電圧信号Ｖｎ１，Ｖｎ２，Ｖｎ３を予め規定された同一周波数のサンプリングクロックでサンプリングすることにより、電圧信号Ｖｎ１，Ｖｎ２，Ｖｎ３についての信号波形を示す波形データＤｎ１，Ｄｎ２，Ｄｎ３に変換して出力する。
【００４６】
各フィルタ１３ａ，１３ｂ，１３ｃは、本例では一例として、処理部１５によって、周波数特性Ｈ（通過域Ｇでの利得および通過域Ｇの帯域（上限周波数および下限周波数（いずれもカットオフ周波数））、遷移域の減衰傾度、および減衰域の帯域など）が任意に設定可能なデジタルフィルタで構成されている。この場合、デジタルフィルタとしては、位相ひずみのないＦＩＲ（Finite Impulse Response）デジタルフィルタで構成するのが好ましい。これにより、信号加算部１４において、各フィルタ１３から出力される波形データＤｉ（Ｄｉ１，Ｄｉ２，Ｄｉ３）を位相ひずみのない状態で加算することが可能になっている。なお、各フィルタ１３ａ，１３ｂ，１３ｃは、ＤＳＰ（Digital Signal Processor）で構成することができ、この場合、処理部１５も併せてＤＳＰで構成することもできる。
【００４７】
具体的には、フィルタ１３ａは、設定された周波数特性に基づいてＡ／Ｄ変換部１２ａから出力される波形データＤｎ１に対するフィルタリング処理を実行して不要な周波数成分を減衰させることにより、波形データＤｉ１を出力する。また、フィルタ１３ｂは、設定された周波数特性に基づいてＡ／Ｄ変換部１２ｂから出力される波形データＤｎ２に対するフィルタリング処理を実行することにより、波形データＤｉ２を出力する。また、フィルタ１３ｃは、設定された周波数特性に基づいてＡ／Ｄ変換部１２ｃから出力される波形データＤｎ３に対するフィルタリング処理を実行することにより、波形データＤｉ３を出力する。
【００４８】
この場合、各フィルタ１３は、対応する入力部１１（の入力コネクタ２１）に電流プローブＣＰが接続されたときには、自らの周波数特性Ｈが、接続されている電流プローブＣＰ（の検出周波数帯域Ｂ）に対応して予め規定された周波数特性、つまり、対応する入力コネクタ２１に接続されている電流プローブＣＰの検出周波数帯域Ｂに含まれている周波数成分を主として通過させ、他の入力部１１に接続されている他の電流プローブＣＰの検出周波数帯域Ｂに含まれている周波数成分については主として減衰させる周波数特性に、処理部１５によって設定される。
【００４９】
この電流測定装置１では、使用される３つの電流プローブＣＰ１，ＣＰ２，ＣＰ３のうちの電流プローブＣＰ１に対応するフィルタの周波数特性を実現するためのフィルタデータＤｆｃとして、図３に示すように、通過域Ｇ１が電流プローブＣＰ１の検出周波数帯域Ｂ１内に含まれる周波数特性Ｈ１を実現するフィルタデータＤｆｃ１と、電流プローブＣＰ２に対応するフィルタの周波数特性を実現するためのフィルタデータＤｆｃとして、同図に示すように、通過域Ｇ２が電流プローブＣＰ２の検出周波数帯域Ｂ２内に含まれる周波数特性Ｈ２を実現するフィルタデータＤｆｃ２と、電流プローブＣＰ３に対応するフィルタの周波数特性を実現するためのフィルタデータＤｆｃとして、同図に示すように、通過域Ｇ３が電流プローブＣＰ３の検出周波数帯域Ｂ３内に含まれる周波数特性Ｈ３を実現するフィルタデータＤｆｃ３が記憶部１６に記憶されている。なお、各フィルタ１３の周波数特性Ｈ１，Ｈ２，Ｈ３について特に区別しないときには、周波数特性Ｈともいう。また、各周波数特性Ｈ１，Ｈ２，Ｈ３における通過域Ｇ１，Ｇ２，Ｇ３とは、周波数特性Ｈ１，Ｈ２，Ｈ３がほぼフラットになる周波数帯域での利得を基準として利得が６．０２ｄＢ低下する（０．５倍になる）周波数を上限周波数または下限周波数とする周波数帯域をいうものとし、特に区別しないときには通過域Ｇともいう。
【００５０】
この場合、上記したように、各フィルタ１３の周波数特性Ｈにおける通過域Ｇは、フィルタ１３に対応する入力部１１に接続されている電流プローブＣＰの検出周波数帯域Ｂ内に含まれることから、電流プローブＣＰと、この電流プローブＣＰが接続された入力部１１、この後段のＡ／Ｄ変換部１２およびフィルタ１３で構成される測定系全体の測定周波数帯域は、最終段のフィルタ１３の周波数特性Ｈで規定される。例えば、図１に示すように、入力部１１ｂに電流プローブＣＰ２を接続した測定系全体の測定周波数帯域は、この測定系を構成するフィルタ１３ｂの周波数特性を実現するためのフィルタデータＤｆｃがフィルタデータＤｆｃ２になり、これによってフィルタ１３ｂは周波数特性Ｈ２に規定される。
【００５１】
また、本例では一例として、図３に示すように、隣接する２つの検出周波数帯域Ｂ（本例では、検出周波数帯域Ｂ１，Ｂ２、検出周波数帯域Ｂ２，Ｂ３）のうちの低域側の検出周波数帯域内に規定された通過域Ｇにおける高周波側のカットオフ周波数と、高域側の検出周波数帯域内に規定された通過域Ｇにおける低周波側のカットオフ周波数とが同一に規定されている。具体的には、隣接する２つの検出周波数帯域Ｂ１，Ｂ２のうちの低域側の検出周波数帯域Ｂ１内に規定された通過域Ｇ１のカットオフ周波数ｆｃ１（フィルタ１３ａの周波数特性Ｈ１における高周波側のカットオフ周波数）が、この２つの検出周波数帯域Ｂ１，Ｂ２のうちの高域側の検出周波数帯域Ｂ２内に規定された通過域Ｇ２のカットオフ周波数ｆｃ１（フィルタ１３ｂの周波数特性Ｈ２における低周波側のカットオフ周波数）と同一に規定されている。
【００５２】
また、隣接する他の２つの検出周波数帯域Ｂ２，Ｂ３のうちの低域側の検出周波数帯域Ｂ２内に規定された通過域Ｇ２のカットオフ周波数ｆｃ２（フィルタ１３ｂの周波数特性Ｈ２における高周波側のカットオフ周波数）が、この２つの検出周波数帯域Ｂ２，Ｂ３のうちの高域側の検出周波数帯域Ｂ３内に規定された通過域Ｇ３のカットオフ周波数ｆｃ２（フィルタ１３ｃの周波数特性Ｈ３における低周波側のカットオフ周波数）と同一に規定されている。
【００５３】
これにより、この電流測定装置１では、後述するように、電流プローブＣＰ１，ＣＰ２，ＣＰ３を使用した場合には、電流プローブＣＰ１，ＣＰ２，ＣＰ３は、全体として、図３に示すように、直流から高周波数（カットオフ周波数ｆｃ３）までの周波数帯域（通過域Ｇ１，Ｇ２，Ｇ３で構成される周波数帯域）において周波数特性がフラットな電流プローブとして機能する。また、電流プローブＣＰ１，ＣＰ２を使用した場合には、電流プローブＣＰ１，ＣＰ２は、全体として、図４に示すように、直流から中周波数（カットオフ周波数ｆｃ２）までの周波数帯域（通過域Ｇ１，Ｇ２で構成される周波数帯域）において周波数特性がフラットな電流プローブとして機能する。また、電流プローブＣＰ２，ＣＰ３を使用した場合には、電流プローブＣＰ２，ＣＰ３は、全体として、図５に示すように、低周波数（カットオフ周波数ｆｃ１）から高周波数（カットオフ周波数ｆｃ３）までの周波数帯域（通過域Ｇ２，Ｇ３で構成される周波数帯域）において周波数特性がフラットな電流プローブとして機能する。
【００５４】
信号加算部１４は、電流プローブＣＰが接続されている入力部１１と同じ測定系に含まれている各フィルタ１３から出力される各被加算量としての各波形データＤｉ（電流プローブＣＰがすべての入力部１１に接続されているときには、すべてのフィルタ１３から出力される波形データＤｉ（Ｄｉ１，Ｄｉ２，Ｄｉ３））で示される信号波形を加算すると共に、加算によって得られた信号波形を有する加算信号の波形データ（以下、加算波形データともいう）Ｄａｄを処理部１５に出力する。
【００５５】
処理部１５は、ＣＰＵなどを備えて構成されている。また、処理部１５は、例えば、図１に示すように、電流測定装置１に設けられたインターフェース回路１８を介して電流測定装置１の外部から入力されたり、または電流測定装置１に設けられた操作部１９から入力されたりするプローブデータＤｃｐ（各入力部１１への電流プローブＣＰの接続の有無、および電流プローブＣＰが接続されているときにはその種類（電流プローブＣＰ１〜ＣＰ３のいずれであるか）を示すデータ）に基づいて、各入力部１１のレベル調整部として機能する増幅部２２ａ〜２２ｃに対するレベル調整処理（本例では増幅率の設定処理）、および各フィルタ１３ａ〜１３ｃに対する周波数特性の設定処理を実行する。また、処理部１５は、加算波形データＤａｄに基づいて、測定電流Ｉの電流値Ｉ１を算出する電流算出処理を実行する。
【００５６】
記憶部１６は、一例としてＲＡＭなどの半導体メモリで構成されて、各電流プローブＣＰに対応して各増幅部２２に設定する増幅率α、および各フィルタ１３に対するフィルタデータＤｆｃが各電流プローブＣＰに対応させて記憶されている。出力部１７は、一例としてＬＣＤなどの表示装置で構成されて、電流算出処理の結果を画面上に表示する。
【００５７】
次に、電流測定装置１の使用方法および動作について、電流測定方法と併せて、図面を参照して説明する。
【００５８】
（３つの電流プローブＣＰを使用してする実施の形態）
まず、測定対象電線２に流れている測定電流Ｉの電流値Ｉ１をどの周波数帯域の周波数成分まで考慮して測定するかに基づいて、電流測定装置１に接続する電流プローブＣＰを選定する。本例では一例として、測定電流Ｉについて、直流成分から高周波数までの各周波数成分を検出して、その電流値Ｉ１を測定する。このため、３つの電流プローブＣＰ１，ＣＰ２，ＣＰ３のすべてを選定する。
【００５９】
次いで、選定した３つの電流プローブＣＰ１，ＣＰ２，ＣＰ３を３つの入力部１１ａ，１１ｂ，１１ｃのうちのいずれかに１つずつ接続する。本例では一例として、図１に示すように、電流プローブＣＰ１を入力部１１ａに接続し、電流プローブＣＰ２を入力部１１ｂに接続し、電流プローブＣＰ３を入力部１１ｃに接続する。また、各電流プローブＣＰの各入力部１１への現在の接続状態を示すプローブデータＤｃｐを例えば操作部１９から処理部１５に出力する。また、電流プローブＣＰ１，ＣＰ２，ＣＰ３を共通の測定対象電線２に装着する。
【００６０】
処理部１５は、プローブデータＤｃｐを入力して、このプローブデータＤｃｐに基づいて、入力部１１ａに電流プローブＣＰ１が接続され、入力部１１ｂに電流プローブＣＰ２が接続され、入力部１１ｃに電流プローブＣＰ３が接続されていることを認識し、現在接続されている電流プローブＣＰ１〜ＣＰ３に対応する増幅率α１，α２，α３およびフィルタデータＤｆｃ１，Ｄｆｃ２，Ｄｆｃ３を記憶部１６から読み出す。
【００６１】
続いて、処理部１５は、電流プローブＣＰ１が接続されている入力部１１ａの増幅部２２ａに電流プローブＣＰ１に対応する増幅率α１を設定する設定処理を実行すると共に、この入力部１１ａから出力される電圧信号Ｖｎ１に対するフィルタリング処理を実行するフィルタ１３ａの周波数特性を電流プローブＣＰ１に対応するフィルタデータＤｆｃ１で実現される周波数特性Ｈ１に設定する設定処理を実行する。
【００６２】
同様にして、処理部１５は、電流プローブＣＰ２が接続されている入力部１１ｂの増幅部２２ｂに電流プローブＣＰ２に対応する増幅率α２を設定する設定処理を実行すると共に、この入力部１１ｂから出力される電圧信号Ｖｎ２に対するフィルタリング処理を実行するフィルタ１３ｂの周波数特性を電流プローブＣＰ２に対応するフィルタデータＤｆｃ２で実現される周波数特性Ｈ２に設定する設定処理を実行する。
【００６３】
また、処理部１５は、電流プローブＣＰ３が接続されている入力部１１ｃの増幅部２２ｃに電流プローブＣＰ３に対応する増幅率α３を設定する設定処理を実行すると共に、この入力部１１ｃから出力される電圧信号Ｖｎ３に対するフィルタリング処理を実行するフィルタ１３ｃの周波数特性を電流プローブＣＰ３に対応するフィルタデータＤｆｃ３で実現される周波数特性Ｈ３に設定する設定処理を実行する。
【００６４】
この各増幅部２２ａ，２２ｂ，２２ｃへの各増幅率α１，α２，α３の設定処理により、電流プローブＣＰ１からフィルタ１３ａまでの測定系全体の変換率、電流プローブＣＰ２からフィルタ１３ｂまでの測定系全体の変換率、および電流プローブＣＰ３からフィルタ１３ｃまでの測定系全体の変換率は互いに一致させられる。なお、この測定系全体の変換率とは、信号加算部１４での被加算量としての波形データＤｉで示される信号波形の電圧レベルを測定電流Ｉの電流レベルで除算した値である。
【００６５】
また、各フィルタ１３ａ，１３ｂ，１３ｃへの各周波数特性Ｈ１，Ｈ２，Ｈ３の設定処理により、電流プローブＣＰ１が接続されている入力部１１ａを含む測定系全体の測定周波数帯域は、この測定系を構成するフィルタ１３ａの通過域Ｇ１に設定され、電流プローブＣＰ２が接続されている入力部１１ｂを含む測定系全体の測定周波数帯域は、この測定系を構成するフィルタ１３ｂの通過域Ｇ２に設定され、電流プローブＣＰ３が接続されている入力部１１ｃを含む測定系全体の測定周波数帯域は、この測定系を構成するフィルタ１３ｃの通過域Ｇ３に設定される。
【００６６】
この状態において、各電流プローブＣＰ１，ＣＰ２，ＣＰ３は、測定対象電線２に流れている測定電流Ｉに含まれている周波数成分のうちの自らの検出周波数帯域Ｂ１，Ｂ２，Ｂ３に含まれている周波数成分を検出して、検出信号Ｖｉ１，Ｖｉ２，Ｖｉ３を電流測定装置１に出力する。この場合、電流プローブＣＰ１，ＣＰ２，ＣＰ３の検出周波数帯域Ｂ１，Ｂ２，Ｂ３は、図２，３に示すように、互いに異なり、かつ周波数軸上において、低周波側から高周波側に向けて、検出周波数帯域Ｂ１，Ｂ２，Ｂ３の順に並び、かつ隣接する２つの検出周波数帯域（２つの検出周波数帯域Ｂ１，Ｂ２と、２つの検出周波数帯域Ｂ２，Ｂ３）において、２つの検出周波数帯域のうちの低域側の検出周波数帯域の高帯域と、高域側の検出周波数帯域の低帯域とが重なるように規定されている。このため、各電流プローブＣＰ１，ＣＰ２，ＣＰ３は、全体として、直流から高周波数に亘る広い周波数特性を有する電流プローブとして機能して、測定対象電線２に流れている測定電流Ｉの周波数成分を精度良く検出して電流測定装置１に出力する。
【００６７】
この電流測定装置１では、各電流プローブＣＰ１，ＣＰ２，ＣＰ３から出力される検出信号Ｖｉ１，Ｖｉ２，Ｖｉ３について、各入力部１１ａ，１１ｂ，１１ｃは、設定された各増幅率α１，α２，α３で電圧信号Ｖｎ１，Ｖｎ２，Ｖｎ３に増幅して出力する。この場合、入力部１１ａ，１１ｂ，１１ｃにおける増幅部２２ａ，２２ｂ，２２ｃの各増幅率α１，α２，α３が上記のようにして各電流プローブＣＰ１，ＣＰ２，ＣＰ３で検出される測定電流Ｉを各波形データＤｉ１，Ｄｉ２，Ｄｉ３に変換するための各変換率が一致するように規定されているため（この例では、上記したように、各Ａ／Ｄ変換部１２の利得が揃えられ、かつ各フィルタ１３の利得が揃えられている状態において、各増幅率α１，α２，α３が、各入力部１１に接続された各電流プローブＣＰで検出される測定電流Ｉを各電圧信号Ｖｎに変換する変換率が一致するように規定されているため）、各電流プローブＣＰ１，ＣＰ２，ＣＰ３で検出される測定電流Ｉの周波数成分を増幅したものである電圧信号Ｖｎ１，Ｖｎ２，Ｖｎ３についての各周波数特性は、図３において符号Ｅ１，Ｅ２，Ｅ３の周波数特性で示されるように正規化された状態になる。つまり、測定電流Ｉに含まれる周波数成分のうちの検出周波数帯域Ｂ１，Ｂ２，Ｂ３に含まれている周波数成分の電圧レベルが同じときには、電圧信号Ｖｎ１，Ｖｎ２，Ｖｎ３の電圧レベルが揃った状態で出力される。
【００６８】
この際に、各Ａ／Ｄ変換部１２ａ，１２ｂ，１２ｃが、入力した電圧信号Ｖｎ１，Ｖｎ２，Ｖｎ３を同じ周波数のサンプリングクロックでサンプリングすることにより、波形データＤｎ１，Ｄｎ２，Ｄｎ３に変換して、各フィルタ１３ａ，１３ｂ，１３ｃにそれぞれ出力する。
【００６９】
次いで、各フィルタ１３ａ，１３ｂ，１３ｃが、入力した波形データＤｎ１，Ｄｎ２，Ｄｎ３に対して、設定された周波数特性Ｈ１，Ｈ２，Ｈ３でフィルタリング処理を実行して不要な周波数成分を減衰させることにより、波形データＤｉ１，Ｄｉ２，Ｄｉ３を出力する。
【００７０】
この場合、図３に示すように、フィルタ１３ａは、電流プローブＣＰ１の検出周波数帯域Ｂ１内に含まれている周波数成分のうちの通過域Ｇ１に含まれている周波数成分についてのみを通過させ、この通過域Ｇ１以外の帯域の周波数成分については減衰させることにより、主として電流プローブＣＰ１の検出周波数帯域Ｂ１内に含まれる周波数成分で構成される波形データＤｉ１を出力する。また、フィルタ１３ｂは、電流プローブＣＰ２の検出周波数帯域Ｂ２内に含まれている周波数成分のうちの通過域Ｇ２（下限周波数が通過域Ｇ１の上限周波数と連続する通過域）に含まれている周波数成分についてのみを通過させ、この通過域Ｇ２以外の帯域の周波数成分については減衰させることにより、主として電流プローブＣＰ２の検出周波数帯域Ｂ２内に含まれる周波数成分で構成される波形データＤｉ２を出力する。また、フィルタ１３ｃは、電流プローブＣＰ３の検出周波数帯域Ｂ３内に含まれている周波数成分のうちの通過域Ｇ３（下限周波数が通過域Ｇ２の上限周波数と連続する通過域）に含まれている周波数成分についてのみを通過させ、この通過域Ｇ３以外の帯域の周波数成分については減衰させることにより、主として電流プローブＣＰ３の検出周波数帯域Ｂ３内に含まれる周波数成分で構成される波形データＤｉ３を出力する。
【００７１】
続いて、信号加算部１４が、各フィルタ１３ａ，１３ｂ，１３ｃから出力される波形データＤｉ１，Ｄｉ２，Ｄｉ３で示される信号波形を被加算量として加算すると共に、加算によって得られた加算信号の信号波形についての加算波形データＤａｄを処理部１５に出力する。
【００７２】
次いで、処理部１５は、電流算出処理を実行して、入力した加算波形データＤａｄに基づいて、測定電流Ｉの電流値Ｉ１を算出して、出力部１７に出力する。出力部１７は、この電流算出処理の結果（電流値Ｉ１）を画面上に表示する。これにより、このようにして３つの電流プローブＣＰ１，ＣＰ２，ＣＰ３を入力部１１に接続することにより、この電流測定装置１では、測定電流Ｉについての直流成分から高周波数までの各周波数成分（互いに連続する各通過域Ｇ１，Ｇ２，Ｇ３に含まれる周波数成分）に基づいて、その電流値Ｉ１を精度良く測定することが可能になっている。
【００７３】
（２つの電流プローブＣＰを使用してする実施の形態）
また、この電流測定装置１では、測定電流Ｉについて、直流成分から中周波数までの各周波数成分を検出して、その電流値Ｉ１を測定することもできる。この際には、２つの電流プローブＣＰ１，ＣＰ２を選定して、３つの入力部１１のうちのいずれか２つに接続する。例えば、電流プローブＣＰ１を入力部１１ｂに接続し、電流プローブＣＰ２を入力部１１ｃに接続する。また、この各電流プローブＣＰ１，ＣＰ２の入力部１１ｂ，１１ｃへの接続状態を示すプローブデータＤｃｐを例えば操作部１９から処理部１５に出力する。
【００７４】
これにより、処理部１５は、このプローブデータＤｃｐに基づいて、入力部１１ｂに電流プローブＣＰ１が接続され、入力部１１ｃに電流プローブＣＰ２が接続されていることを認識し、現在接続されている電流プローブＣＰ１，ＣＰ２に対応する増幅率α１，α２およびフィルタデータＤｆｃ１，Ｄｆｃ２を記憶部１６から読み出す。
【００７５】
また、処理部１５は、電流プローブＣＰ１が接続されている入力部１１ｂの増幅部２２ｂに電流プローブＣＰ１に対応する増幅率α１を設定する設定処理を実行すると共に、この入力部１１ｂから出力される電圧信号Ｖｎ２に対するフィルタリング処理を実行するフィルタ１３ｂの周波数特性を電流プローブＣＰ１に対応するフィルタデータＤｆｃ１で実現される周波数特性Ｈ１に設定する設定処理を実行する。
【００７６】
同様にして、処理部１５は、電流プローブＣＰ２が接続されている入力部１１ｃの増幅部２２ｃに電流プローブＣＰ２に対応する増幅率α２を設定する設定処理を実行すると共に、この入力部１１ｃから出力される電圧信号Ｖｎ３に対するフィルタリング処理を実行するフィルタ１３ｃの周波数特性を電流プローブＣＰ２に対応するフィルタデータＤｆｃ２で実現される周波数特性Ｈ２に設定する設定処理を実行する。
【００７７】
これにより、この電流測定装置１では、電流プローブＣＰ１からフィルタ１３ｂまでの測定系全体の変換率、および電流プローブＣＰ２からフィルタ１３ｃまでの測定系全体の変換率は互いに一致させられる。また、電流プローブＣＰ１が接続されている入力部１１ｂを含む測定系全体の測定周波数帯域は、この測定系を構成するフィルタ１３ｂの通過域Ｇ１に設定され、電流プローブＣＰ２が接続されている入力部１１ｃを含む測定系全体の測定周波数帯域は、この測定系を構成するフィルタ１３ｃの通過域Ｇ２（下限周波数が通過域Ｇ１の上限周波数と一致して、通過域Ｇ１と連続する通過域）に設定される。
【００７８】
この状態において、各電流プローブＣＰ１，ＣＰ２は、測定対象電線２に流れている測定電流Ｉのうちの自らの検出周波数帯域Ｂ１，Ｂ２に含まれている周波数成分を検出して、検出信号Ｖｉ１，Ｖｉ２を電流測定装置１の入力部１１ｂ，１１ｃに出力する。この場合、電流プローブＣＰ１，ＣＰ２の検出周波数帯域Ｂ１，Ｂ２は、図４に示すように、互いに異なり、かつ周波数軸上において、低周波側から高周波側に向けて、検出周波数帯域Ｂ１，Ｂ２の順に並び、かつ２つの検出周波数帯域Ｂ１，Ｂ２のうちの低域側の検出周波数帯域Ｂ１の高帯域と高域側の検出周波数帯域Ｂ２の低帯域とが重なるように規定されている。このため、各電流プローブＣＰ１，ＣＰ２は、全体として、直流から中周波数に亘る周波数特性を有する電流プローブとして機能して、測定対象電線２に流れている測定電流Ｉの周波数成分を精度良く検出して出力する。
【００７９】
この電流測定装置１では、入力部１１ｂ，１１ｃにおける増幅部２２ｂ，２２ｃの各増幅率が、接続されている電流プローブＣＰ１，ＣＰ２に対応する増幅率α１，α２に規定されている。これにより、各電流プローブＣＰ１，ＣＰ２で検出される測定電流Ｉを各波形データＤｉ２，Ｄｉ３に変換するための各変換率が一致するように規定されているため、各電流プローブＣＰ１，ＣＰ２で検出される測定電流Ｉの周波数成分を増幅したものである電圧信号Ｖｎ２，Ｖｎ３についての各周波数特性は、図４において符号Ｅ１，Ｅ２の周波数特性で示されるように正規化された状態になる。
【００８０】
また、各フィルタ１３ｂ，１３ｃの周波数特性は、それぞれの測定系の入力部１１ｂ，１１ｃに接続されている電流プローブＣＰ１，ＣＰ２の検出周波数帯域Ｂ１，Ｂ２に対応して周波数特性Ｈ１，Ｈ２に規定されている。このため、フィルタ１３ｂは、電流プローブＣＰ１の検出周波数帯域Ｂ１内に含まれている周波数成分のうちの通過域Ｇ１（直流から低周波数に亘る通過域）に含まれている周波数成分についてのみを通過させ、この通過域Ｇ１以外の帯域の周波数成分については減衰させる。また、フィルタ１３ｃは、電流プローブＣＰ２の検出周波数帯域Ｂ２内に含まれている周波数成分のうちの通過域Ｇ２（低周波数から中周波数に亘る通過域であって、下限周波数が通過域Ｇ１の上限周波数と一致する通過域）に含まれている周波数成分についてのみを通過させ、この通過域Ｇ２以外の帯域の周波数成分については減衰させる。
【００８１】
また、信号加算部１４が、電流プローブＣＰ１，ＣＰ２が接続されている入力部１１ｂ，１１ｃと同じ測定系に含まれているフィルタ１３ｂ，１３ｃから出力される波形データＤｉ２，Ｄｉ３で示される信号波形を加算すると共に、加算によって得られた信号波形の加算波形データＤａｄを処理部１５に出力する。また、処理部１５は、電流算出処理を実行して、入力した加算波形データＤａｄに基づいて、測定電流Ｉの電流値Ｉ１を算出して、出力部１７に出力する。したがって、この電流測定装置１では、電流プローブＣＰ１，ＣＰ２が接続されることにより、測定電流Ｉについての直流成分から中周波数までの各周波数成分に基づいて、その電流値Ｉ１を精度良く測定することが可能になっている。
【００８２】
（２つの電流プローブＣＰを使用してする他の実施の形態）
また、この電流測定装置１では、測定電流Ｉについて、低周波数から高周波数までの各周波数成分を検出して、その電流値Ｉ１を測定することもできる。この際には、２つの電流プローブＣＰ２，ＣＰ３を選定して、３つの入力部１１のうちのいずれか２つに接続する。例えば、電流プローブＣＰ２を入力部１１ａに接続し、電流プローブＣＰ３を入力部１１ｂに接続する。また、この各電流プローブＣＰ２，ＣＰ３の入力部１１ａ，１１ｂへの接続状態を示すプローブデータＤｃｐを例えば操作部１９から処理部１５に出力する。
【００８３】
これにより、処理部１５は、このプローブデータＤｃｐに基づいて、入力部１１ａに電流プローブＣＰ２が接続され、入力部１１ｂに電流プローブＣＰ３が接続されていることを認識し、現在接続されている電流プローブＣＰ２，ＣＰ３に対応する増幅率α２，α３およびフィルタデータＤｆｃ２，Ｄｆｃ３を記憶部１６から読み出す。
【００８４】
また、処理部１５は、電流プローブＣＰ２が接続されている入力部１１ａの増幅部２２ａに電流プローブＣＰ２に対応する増幅率α２を設定する設定処理を実行すると共に、この入力部１１ａから出力される電圧信号Ｖｎ１に対するフィルタリング処理を実行するフィルタ１３ａの周波数特性を電流プローブＣＰ２に対応するフィルタデータＤｆｃ２で実現される周波数特性Ｈ２に設定する設定処理を実行する。
【００８５】
同様にして、処理部１５は、電流プローブＣＰ３が接続されている入力部１１ｂの増幅部２２ｂに電流プローブＣＰ３に対応する増幅率α３を設定する設定処理を実行すると共に、この入力部１１ｂから出力される電圧信号Ｖｎ２に対するフィルタリング処理を実行するフィルタ１３ｂの周波数特性を電流プローブＣＰ３に対応するフィルタデータＤｆｃ３で実現される周波数特性Ｈ３に設定する設定処理を実行する。
【００８６】
これにより、この電流測定装置１では、電流プローブＣＰ２からフィルタ１３ａまでの測定系全体の変換率、および電流プローブＣＰ３からフィルタ１３ｂまでの測定系全体の変換率は互いに一致させられる。また、電流プローブＣＰ２が接続されている入力部１１ａを含む測定系全体の測定周波数帯域は、この測定系を構成するフィルタ１３ａの通過域Ｇ２に設定され、電流プローブＣＰ３が接続されている入力部１１ｂを含む測定系全体の測定周波数帯域は、この測定系を構成するフィルタ１３ｂの通過域Ｇ３（下限周波数が通過域Ｇ２の上限周波数と一致して、通過域Ｇ２と連続する通過域）に設定される。
【００８７】
この状態において、各電流プローブＣＰ２，ＣＰ３は、測定対象電線２に流れている測定電流Ｉのうちの自らの検出周波数帯域Ｂ２，Ｂ３に含まれている周波数成分を検出して、検出信号Ｖｉ２，Ｖｉ３を電流測定装置１の入力部１１ａ，１１ｂに出力する。この場合、電流プローブＣＰ２，ＣＰ３の検出周波数帯域Ｂ２，Ｂ３は、図５に示すように、互いに異なり、かつ周波数軸上において、低周波側から高周波側に向けて、検出周波数帯域Ｂ２，Ｂ３の順に並び、かつ２つの検出周波数帯域Ｂ２，Ｂ３のうちの低域側の検出周波数帯域Ｂ２の高帯域と、高域側の検出周波数帯域Ｂ３の低帯域とが重なるように規定されている。このため、各電流プローブＣＰ２，ＣＰ３は、全体として、低周波数から高周波数に亘る周波数特性を有する電流プローブとして機能して、測定対象電線２に流れている測定電流Ｉの周波数成分を精度良く検出して出力する。
【００８８】
この電流測定装置１では、入力部１１ａ，１１ｂにおける増幅部２２ａ，２２ｂの各増幅率が、接続されている電流プローブＣＰ２，ＣＰ３に対応する増幅率α２，α３に規定されている。これにより、各電流プローブＣＰ２，ＣＰ３で検出される測定電流Ｉを各波形データＤｉ１，Ｄｉ２に変換するための各変換率が一致するように規定されているため、各電流プローブＣＰ２，ＣＰ３で検出される測定電流Ｉの周波数成分を増幅したものである電圧信号Ｖｎ１，Ｖｎ２についての各周波数特性は、図５において符号Ｅ２，Ｅ３の周波数特性で示されるように正規化された状態になる。
【００８９】
また、各フィルタ１３ａ，１３ｂの周波数特性は、それぞれの測定系の入力部１１ａ，１１ｂに接続されている電流プローブＣＰ２，ＣＰ３の検出周波数帯域Ｂ２，Ｂ３に対応して周波数特性Ｈ２，Ｈ３に規定されている。このため、フィルタ１３ａは、電流プローブＣＰ２の検出周波数帯域Ｂ２内に含まれている周波数成分のうちの通過域Ｇ２（低周波数から中周波数に亘る通過域）に含まれている周波数成分についてのみを通過させ、この通過域Ｇ２以外の帯域の周波数成分については減衰させる。また、フィルタ１３ｂは、電流プローブＣＰ３の検出周波数帯域Ｂ３内に含まれている周波数成分のうちの通過域Ｇ３（中周波数から高周波数に亘る通過域であって、下限周波数が通過域Ｇ２の上限周波数と一致する通過域）に含まれている周波数成分についてのみを通過させ、この通過域Ｇ３以外の帯域の周波数成分については減衰させる。
【００９０】
また、信号加算部１４が、電流プローブＣＰ２，ＣＰ３が接続されている入力部１１ａ，１１ｂと同じ測定系に含まれているフィルタ１３ａ，１３ｂから出力される波形データＤｉ１，Ｄｉ２で示される信号波形を加算すると共に、加算によって得られた信号波形の加算波形データＤａｄを処理部１５に出力する。また、処理部１５は、電流算出処理を実行して、入力した加算波形データＤａｄに基づいて、測定電流Ｉの電流値Ｉ１を算出して、出力部１７に出力する。したがって、この電流測定装置１では、電流プローブＣＰ２，ＣＰ３が接続されることにより、測定電流Ｉについての低周波数から高周波数までの各周波数成分に基づいて、その電流値Ｉ１を精度良く測定することが可能になっている。
【００９１】
（２つの電流プローブＣＰを使用してする他の実施の形態）
また、この電流測定装置１では、測定電流Ｉについて、直流成分から低周波数までの周波数成分と、中周波数から高周波数までの周波数成分とを検出して、その電流値Ｉ１を測定することもできる。この際には、２つの電流プローブＣＰ１，ＣＰ３を選定して、３つの入力部１１のうちのいずれか２つに接続する。例えば、電流プローブＣＰ１を入力部１１ａに接続し、電流プローブＣＰ３を入力部１１ｃに接続する。また、この各電流プローブＣＰ１，ＣＰ３の入力部１１ａ，１１ｃへの接続状態を示すプローブデータＤｃｐを例えば操作部１９から処理部１５に出力する。
【００９２】
これにより、処理部１５は、このプローブデータＤｃｐに基づいて、入力部１１ａに電流プローブＣＰ１が接続され、入力部１１ｃに電流プローブＣＰ３が接続されていることを認識し、現在接続されている電流プローブＣＰ１，ＣＰ３に対応する増幅率α１，α３およびフィルタデータＤｆｃ１，Ｄｆｃ３を記憶部１６から読み出す。
【００９３】
また、処理部１５は、電流プローブＣＰ１が接続されている入力部１１ａの増幅部２２ａに電流プローブＣＰ１に対応する増幅率α１を設定する設定処理を実行すると共に、この入力部１１ａから出力される電圧信号Ｖｎ１に対するフィルタリング処理を実行するフィルタ１３ａの周波数特性を電流プローブＣＰ１に対応するフィルタデータＤｆｃ１で実現される周波数特性Ｈ１に設定する設定処理を実行する。
【００９４】
同様にして、処理部１５は、電流プローブＣＰ３が接続されている入力部１１ｃの増幅部２２ｃに電流プローブＣＰ３に対応する増幅率α３を設定する設定処理を実行すると共に、この入力部１１ｃから出力される電圧信号Ｖｎ３に対するフィルタリング処理を実行するフィルタ１３ｃの周波数特性を電流プローブＣＰ３に対応するフィルタデータＤｆｃ３で実現される周波数特性Ｈ３に設定する設定処理を実行する。
【００９５】
これにより、この電流測定装置１では、電流プローブＣＰ１からフィルタ１３ａまでの測定系全体の変換率、および電流プローブＣＰ３からフィルタ１３ｃまでの測定系全体の変換率は互いに一致させられる。また、電流プローブＣＰ１が接続されている入力部１１ａを含む測定系全体の測定周波数帯域は、この測定系を構成するフィルタ１３ａの通過域Ｇ１に設定され、電流プローブＣＰ３が接続されている入力部１１ｃを含む測定系全体の測定周波数帯域は、この測定系を構成するフィルタ１３ｃの通過域Ｇ３（下限周波数が通過域Ｇ１の上限周波数と一致せず、通過域Ｇ１と不連続な通過域）に設定される。
【００９６】
この状態において、各電流プローブＣＰ１，ＣＰ３は、測定対象電線２に流れている測定電流Ｉのうちの自らの検出周波数帯域Ｂ１，Ｂ３に含まれている周波数成分を検出して、検出信号Ｖｉ１，Ｖｉ３を電流測定装置１の入力部１１ａ，１１ｃに出力する。この場合、電流プローブＣＰ１，ＣＰ３の検出周波数帯域Ｂ１，Ｂ３は、図６に示すように、互いに異なり、かつ周波数軸上において、低周波側から高周波側に向けて、検出周波数帯域Ｂ１，Ｂ３の順に並び、かつ隣接する２つの検出周波数帯域Ｂ１，Ｂ３において、２つの検出周波数帯域Ｂ１，Ｂ３のうちの低域側の検出周波数帯域Ｂ１の高帯域と、高域側の検出周波数帯域Ｂ３の低帯域とが重ならないように規定されている。このため、各電流プローブＣＰ１，ＣＰ３は、全体として、直流から低周波数に亘る周波数特性と、中周波数から高周波数に亘る周波数特性とを有する電流プローブとして機能して、測定対象電線２に流れている測定電流Ｉの周波数成分を精度良く検出して出力する。
【００９７】
この電流測定装置１では、入力部１１ａ，１１ｃにおける増幅部２２ａ，２２ｃの各増幅率が、接続されている電流プローブＣＰ１，ＣＰ３に対応する増幅率α１，α３に規定されている。これにより、各電流プローブＣＰ１，ＣＰ３で検出される測定電流Ｉを各波形データＤｉ１，Ｄｉ３に変換するための各変換率が一致するように規定されているため、各電流プローブＣＰ１，ＣＰ３で検出される測定電流Ｉの周波数成分を増幅したものである電圧信号Ｖｎ１，Ｖｎ３についての各周波数特性は、図６において符号Ｅ１，Ｅ３の周波数特性で示されるように正規化された状態になる。
【００９８】
また、各フィルタ１３ａ，１３ｃの周波数特性は、それぞれの測定系の入力部１１ａ，１１ｃに接続されている電流プローブＣＰ１，ＣＰ３の検出周波数帯域Ｂ１，Ｂ３に対応して周波数特性Ｈ１，Ｈ３に規定されている。このため、フィルタ１３ａは、電流プローブＣＰ１の検出周波数帯域Ｂ１内に含まれている周波数成分のうちの通過域Ｇ１（直流から低周波数に亘る通過域）に含まれている周波数成分についてのみを通過させ、この通過域Ｇ１以外の帯域の周波数成分については減衰させる。また、フィルタ１３ｃは、電流プローブＣＰ３の検出周波数帯域Ｂ３内に含まれている周波数成分のうちの通過域Ｇ３（中周波数から高周波数に亘る通過域であって、下限周波数が通過域Ｇ１の上限周波数よりも高い通過域）に含まれている周波数成分についてのみを通過させ、この通過域Ｇ３以外の帯域の周波数成分については減衰させる。
【００９９】
また、信号加算部１４が、電流プローブＣＰ１，ＣＰ３が接続されている入力部１１ａ，１１ｃと同じ測定系に含まれているフィルタ１３ａ，１３ｃから出力される波形データＤｉ１，Ｄｉ３で示される信号波形を加算すると共に、加算によって得られた信号波形の加算波形データＤａｄを処理部１５に出力する。また、処理部１５は、電流算出処理を実行して、入力した加算波形データＤａｄに基づいて、測定電流Ｉの電流値Ｉ１を算出して、出力部１７に出力する。したがって、この電流測定装置１では、電流プローブＣＰ１，ＣＰ３が接続されることにより、測定電流Ｉについての直流から低周波数までの各周波数成分と、中周波数から高周波数までの各周波数成分とに基づいて、その電流値Ｉ１を精度良く測定することが可能になっている。
【０１００】
なお、電流プローブＣＰ１，ＣＰ３のように、互いの検出周波数帯域Ｂ１，Ｂ３が重ならない複数の電流プローブＣＰを使用する場合には、電流プローブＣＰ１の測定系のフィルタ１３ａにおいて、通過させる周波数成分を上記のように検出周波数帯域Ｂ１内に含まれる周波数成分に制限してもよいが制限しなくてもよく、また電流プローブＣＰ３の測定系のフィルタ１３ｃにおいても、通過させる周波数成分を検出周波数帯域Ｂ３内に含まれる周波数成分に制限してもよいが制限しなくてもよい。このように、各フィルタ１３ａ，１３ｃにおいて周波数成分を制限しないときには、処理部１５が、各フィルタ１３ａ，１３ｃに対して直流から高周波までに亘る全周波数域を通過域とするプローブデータＤｃｐを設定する（言い換えれば、直流から高周波までに亘る全周波数域に含まれる周波数成分を減衰させないで通過させるように各フィルタ１３ａ，１３ｃを設定する）構成を採用することもできる。つまり、各フィルタ１３ａ，１３ｃを省くことができる。
【０１０１】
このように、この電流測定装置１および電流測定方法では、検出周波数帯域Ｂが互いに異なる複数の電流プローブＣＰ（具体的には、各電流プローブＣＰは、検出周波数帯域Ｂが同じ１つまたは２以上の電流センサで構成されて、この電流センサの検出周波数帯域Ｂが電流プローブＣＰ毎に異なることで、電流プローブＣＰとしての検出周波数帯域Ｂが互いに異なる複数の電流プローブＣＰ）を共通の測定対象電線２に装着し、入力部１１に接続された複数の電流プローブＣＰから出力される検出信号Ｖｉに基づく被加算量（波形データＤｉ）を信号加算部１４が加算して加算信号（本例では加算信号の信号波形を示す加算波形データＤａｄ）とし、この加算信号に基づいて処理部１５が測定対象電線２に流れる測定電流Ｉの電流値Ｉ１を算出する。
【０１０２】
したがって、この電流測定装置１および電流測定方法によれば、測定電流Ｉの周波数成分のうちの各電流プローブＣＰの検出周波数帯域Ｂで規定される所望の周波数帯域（各検出周波数帯域Ｂを加算した加算周波数帯域）に含まれる周波数成分に基づいて測定対象電線２に流れている測定電流Ｉの電流値Ｉ１を測定することができる。この場合、周波数帯域が同じ１つまたは２つ以上の電流センサで構成された電流プローブＣＰは、周波数帯域の異なる複数の電流センサを一体化して構成された電流プローブと比較して、機構的な制約や電気的な制約を受けない結果、検出周波数帯域Ｂに含まれる周波数成分をより精度良く検出することができる。これにより、この電流測定装置１および電流測定方法によれば、周波数帯域が同じ１つまたは２つ以上の電流センサでそれぞれが構成されると共に検出周波数帯域Ｂが互いに異なる複数の電流プローブＣＰを使用することで、各電流プローブＣＰにおいて高い精度で検出される測定電流Ｉの各検出周波数帯域Ｂに含まれる周波数成分（所望の周波数帯域に含まれる周波数成分）に基づいて、測定の精度を高めつつ、周波数帯域の異なる複数の電流センサを一体化して構成された電流プローブを使用したときと同じように、所望の広い周波数帯域に含まれる周波数成分に基づいて測定電流Ｉの電流値Ｉ１を測定することができる。
【０１０３】
また、この電流測定装置１および電流測定方法では、各被加算量（各波形データＤｉ）のレベルをレベル調整部として機能する増幅部２２で個別に調整し、この調整された各被加算量を加算する。したがって、この電流測定装置１および電流測定方法によれば、変換率の異なる電流プローブＣＰを使用しつつ、複数の電流プローブＣＰから出力される検出信号Ｖｉを被加算量に変換するための変換率を一致させた状態で、各被加算量を加算することができるため、各電流プローブＣＰにおいて高い精度で検出される測定電流Ｉの各検出周波数帯域Ｂに含まれる周波数成分（所望の周波数帯域に含まれる周波数成分）に基づいて、測定の精度を高めつつ測定電流Ｉの電流値Ｉ１を測定することができる。
【０１０４】
また、この電流測定装置１および電流測定方法では、各検出信号Ｖｉを個別に増幅する増幅部２２を用いてこの増幅部２２の増幅率を変更することにより、各被加算量（各波形データＤｉ）のレベルを個別に調整する。したがって、この電流測定装置１および電流測定方法によれば、増幅部２２を用いるという簡易な手法で、複数の電流プローブＣＰから出力される検出信号Ｖｉを被加算量に変換するための変換率を確実に一致させることができる。
【０１０５】
また、この電流測定装置１および電流測定方法では、各検出信号Ｖｉのうちの検出周波数帯域Ｂが隣接する２つの電流プローブＣＰから出力される２つの検出信号Ｖｉについては、それぞれの通過域Ｇが対応する電流プローブＣＰの検出周波数帯域Ｂ内に含まれると共に互いに連続する２つのフィルタ１３でフィルタリング処理する。
【０１０６】
したがって、この電流測定装置１および電流測定方法によれば、検出周波数帯域Ｂのうちの互いに隣接する２つの検出周波数帯域Ｂが、低域側の検出周波数帯域Ｂの高帯域と、高域側の検出周波数帯域Ｂの低帯域とが重なるかまたは接するようにそれぞれ規定された電流プローブＣＰを各入力部１１に複数接続することで、各フィルタ１３で対応する電流プローブＣＰの検出周波数帯域Ｂ外のノイズなどの信号成分を除去しつつ、連続する複数の通過域Ｇで規定される所望の広い周波数帯域に含まれる測定電流Ｉの周波数成分に基づいて、測定の精度をより高めつつ測定電流Ｉの電流値Ｉ１を測定することができる。
【０１０７】
また、この電流測定装置１および電流測定方法では、隣接する２つの検出周波数帯域Ｂのうちの低域側の検出周波数帯域Ｂ内に含まれている通過域Ｇの高周波側のカットオフ周波数が、この隣接する２つの検出周波数帯域Ｂのうちの高域側の検出周波数帯域Ｂ内に含まれている通過域Ｇの低周波側のカットオフ周波数と同一に規定されている２つのフィルタ１３（通過域Ｇが互いに連続する２つのフィルタ１３）でフィルタリング処理する。
【０１０８】
したがって、この電流測定装置１および電流測定方法によれば、通過域Ｇが連続する２つのフィルタ１３についての利得を、それぞれの通過域Ｇ全体に亘ってフラットな状態にすることができるため、２つの通過域Ｇの境界部分の周波数成分についても正確に検出して測定電流Ｉの電流値Ｉ１を一層高精度で測定することができる。
【０１０９】
なお、上記の例では、２つのフィルタ１３の通過域Ｇを互いに連続させる場合に、低域側の通過域Ｇの高周波側のカットオフ周波数を、高域側の通過域Ｇの低周波側のカットオフ周波数と同一に規定することによって連続させる好ましい構成を採用しているが、低域側の通過域Ｇの高周波側のカットオフ周波数が、高域側の通過域Ｇの低周波側のカットオフ周波数よりも高い周波数になるようにして連続させる構成を採用することもできる。
【０１１０】
また、上記の例では、各入力部１１に増幅部２２を配設することにより、変換率がまちまちな電流プローブＣＰを使用しつつも、電流プローブＣＰ１からフィルタ１３ａまでの測定系全体の変換率、電流プローブＣＰ２からフィルタ１３ｂまでの測定系全体の変換率、および電流プローブＣＰ３からフィルタ１３ｃまでの測定系全体の変換率を互いに一致させる構成を採用しているが、この構成に代えて、各Ａ／Ｄ変換部１２の後段にレベル調整部としてのデジタル増幅部を配設して波形データＤｎを増幅する構成や、各フィルタ１３の後段にレベル調整部としてのデジタル増幅部を配設して波形データＤｉを増幅する構成を採用して、各電流プローブＣＰからフィルタ１３までの測定系全体の変換率を一致させる構成を採用することもできる。また、利得を変更する機能を有するＡ／Ｄ変換部１２やフィルタ１３を使用する構成においては、Ａ／Ｄ変換部１２やフィルタ１３自体をレベル調整部として機能させてその利得を変更することにより、各電流プローブＣＰからフィルタ１３までの測定系全体の変換率を一致させる構成を採用することもできる。
【０１１１】
また、使用し得る複数の電流プローブＣＰの変換率が予め揃えられていることにより、各電流プローブＣＰからフィルタ１３までの測定系全体の変換率についても一致しているときには、増幅部２２やデジタル増幅部などのレベル調整部を省略する構成を採用することもできる。
【０１１２】
また、一例として３つの電流プローブＣＰを使用する構成を例に挙げて説明したが、使用し得る電流プローブＣＰの数が２つであってもよいし、４つ以上であってもよいのは勿論である。また、各入力部１１の数も２つ以上であれば、３つに限定されず、４つ以上であってもよいのは勿論である。また、各入力部１１に接続する複数の電流プローブＣＰについてのプローブデータＤｃｐを電流測定装置１の外部から入力したり、電流測定装置１に設けられた操作部から入力したりする構成に代えて、各入力部１１に電流プローブＣＰの接続の有無を検出すると共に、接続を検出したときには接続された電流プローブを特定する機能を設けて、処理部１５が、各入力部１１を介して、接続された電流プローブＣＰの接続箇所（接続された入力部１１）および種類を自動的に検出するようにすることもできる。
【０１１３】
また、上記の例では、フィルタ１３に設定する周波数特性を電流プローブＣＰ毎に固定的に規定しているが、入力部１１に接続される電流プローブＣＰの組み合わせに応じて、フィルタ１３に設定する周波数特性Ｈを電流プローブＣＰの検出周波数帯域Ｂの範囲内で変える構成を採用することもできる。例えば、図５に示す電流プローブＣＰ２，ＣＰ３を組み合わせて使用する構成では、電流プローブＣＰ１がないため、電流プローブＣＰ２に対応するフィルタ１３の通過域Ｇ２における低周波側のカットオフ周波数ｆｃ１を電流プローブＣＰ１に対応するフィルタ１３の通過域Ｇ１における高周波側のカットオフ周波数と一致させる必要がない。また、図５において実線で示すフィルタ１３の通過域Ｇ２の低周波側のカットオフ周波数ｆｃ１に対して、電流プローブＣＰ２の検出周波数帯域Ｂは低域側に余裕がある。このため、フィルタ１３の通過域Ｇ２の低周波側のカットオフ周波数ｆｃ１がより低い周波数になるような周波数特性Ｈ（図５において破線で示す周波数特性Ｈ）をフィルタ１３に設定して、通過域Ｇ２をより広げるようにすることもできる。
【０１１４】
また、この電流測定装置１では、上記したように、インターフェース回路１８や操作部１９から入力されて記憶部１６に記憶されているプローブデータＤｃｐに基づいて、各入力部１１のレベル調整部として機能する増幅部２２に対するレベル調整処理、および各フィルタ１３に対する周波数特性の設定処理が処理部１５によって実行される。このため、特開２０１２−２４２１２５号公報に開示されている波形測定装置とは異なり、一方の波形測定器で測定される一方の波形の周波数帯域（狭帯域）が他方の波形測定器で測定される他方の波形の周波数帯域（広帯域）に含まれるように規定しなければならないという制約がないために、図３〜６に示すような電流プローブＣＰの各組み合わせ（特に、図６に示す電流プローブＣＰの組み合わせ）が可能であると共に、他方の波形測定器で測定された他方の波形についての第２の波形データ（広帯域で、確度が低い波形データ）のうちの一方の波形測定器で測定された一方の波形についての第１の波形データ（狭帯域で、確度の高い波形データ）と同じ周波数帯域の成分と、第１の波形データとに基づいて、第１の波形データを基準としたときの第２の波形データの誤差を演算し、かつ演算して得られたこの誤差で第２の波形データを補正するといった複雑な処理の実行を不要にすることが可能になっている。
【０１１５】
また、各フィルタ１３をデジタルフィルタで構成する例について上記したが、演算増幅器などを使用しつつ、周波数特性の上限周波数や下限周波数をコンデンサや抵抗やインダクタンスの値を切替スイッチで切り替えることによって変更し得るようなアナログ回路で各フィルタ１３を構成することもできる。この構成を採用したときには、不要な各Ａ／Ｄ変換部１２を省略することができる。
【０１１６】
また、測定電流Ｉの電流レベルに応じて電圧値が変化する検出信号Ｖｉを出力する電流プローブＣＰを使用する構成の電流測定装置１について説明したが、図１に示す構成において、各増幅部２２として、入力している電流信号を増幅すると共に電圧信号に変換して出力する増幅部をレベル調整部として使用することにより、測定電流Ｉの電流レベルに応じて電流値が変化する検出信号Ｖｉを出力する電流プローブＣＰを使用する構成にすることもできる。
【０１１７】
また、Ａ／Ｄ変換器を内蔵することによって測定電流Ｉの電流レベルに応じてデジタル値が変化する電流データを出力する電流プローブＣＰを使用する電流測定装置１の場合には、図１に示す構成のうちの増幅部２２およびＡ／Ｄ変換部１２を省いて、入力コネクタ２１とフィルタ１３との間にデジタル増幅部を配設する構成や、フィルタ１３の後段にデジタル増幅部を配設する構成を採用する。これらの構成を採用した電流測定装置によっても、上記した電流測定装置１と同様にして、このデジタル増幅部の増幅率を変更することにより、複数の電流プローブＣＰについての測定電流Ｉを被加算量（本例では波形データＤｉ）に変換するための変換率を一致させることができる。したがって、この電流測定装置および電流測定方法によっても、変換率の異なる電流プローブＣＰを使用しつつ、各電流プローブＣＰにおいて高い精度で検出される測定電流Ｉの各検出周波数帯域Ｂに含まれる周波数成分に基づいて、測定の精度を高めつつ測定電流Ｉの電流値Ｉ１を測定することができる。
【０１１８】
また、測定装置１として、測定対象電線２に流れる測定電流Ｉを測定する電流測定機能のみを有する電流測定装置１を例に挙げて説明したが、電流測定装置１と同じ電流測定機能と共に他の物理量を測定する機能を備えた測定装置もこの測定装置１に含まれるのは勿論である。例えば、電流測定装置１と同じ電流測定機能と共に他の物理量としての電圧を測定する電圧測定機能を有して、測定した電流と電圧とに基づいて電力を測定する電力計もこの測定装置１に含まれる。また、電流測定装置１と同じ電流測定機能と共に他の物理量としての電圧を測定する電圧測定機能を有して、測定した電流と電圧とに基づいて抵抗を測定する抵抗計もこの測定装置１に含まれる。
【符号の説明】
【０１１９】
１  電流測定装置
５  測定対象電線
１１ａ，１１ｂ，１１ｃ  入力部
１３ａ，１３ｂ，１３ｃ  フィルタ
１４  信号加算部
１５  処理部
２２ａ，２２ｂ，２２ｃ  増幅部
ＣＰ１，ＣＰ２，ＣＰ３  電流プローブ
ＣＳ１，ＣＳ２，ＣＳ３  電流センサ
Ｄａｄ  加算波形データ
Ｄｉ１，Ｄｉ２，Ｄｉ３  波形データ
Ｖｉ１，Ｖｉ２，Ｖｉ３  電圧信号
【図１】
2015014525.tif 000003
【図２】
2015014525.tif 000004
【図３】
2015014525.tif 000005
【図４】
2015014525.tif 000006
【図５】
2015014525.tif 000007
【図６】
2015014525.tif 000008